(57)【要約】コンテンツ提供者の意向に沿わない形で映像コンテンツが提示されないように各装置での映像コンテンツの提示態様を制御可能な提示制御装置を実現する。テレビ（２００）のコンポーネント分離部（２２０）は、送信装置（１００）から送信されたメタデータに基づいて、テレビ（２００）およびタブレット端末（３００）からなる２台の装置の中から映像コンポーネントを提示する装置を選択し、選択した１台または２台の装置に上記映像コンポーネントを提示させる。
2013114749.tif 000002
【特許請求の範囲】
【請求項１】
映像コンテンツに関するメタデータに基づいて、該映像コンテンツをＮ（Ｎ≧２）台の装置に提示させることが可能な提示制御装置において、
上記映像コンテンツに含まれている映像コンポーネントを提示する装置を上記Ｎ台の装置の中から決定する決定手段と、
上記決定手段の決定に従って１台以上の装置に上記映像コンポーネントを提示させる提示制御手段と、を備え、
上記メタデータには、上記映像コンポーネントを同時に２台以上の装置から提示することが許可されるか否かを示す提示条件情報が含まれており、
上記決定手段は、上記提示条件情報の参照により不許可と判別された場合には、上記Ｎ台の装置の中から上記映像コンポーネントを提示する１台の装置を決定するように構成されている、ことを特徴とする提示制御装置。
【請求項２】
上記映像コンテンツには複数のコンポーネントが含まれており、
上記決定手段は、上記映像コンテンツに含まれている各コンポーネントについて、該コンポーネントを提示する装置を上記Ｎ台の装置の中から決定するように構成されており、
上記提示条件情報は、コンポーネントを同時に２台以上の装置から提示することが許可されるか否かが上記各コンポーネントについて示されている情報であり、
上記決定手段は、上記提示条件情報の参照により不許可と判別されるコンポーネントについては、上記Ｎ台の装置の中から該コンポーネントを提示する１台の装置を決定するように構成されている、ことを特徴とする請求項１に記載の提示制御装置。
【請求項３】
上記メタデータには、上記各コンポーネントがいずれかのグループに属するような複数のグループを示す情報が記録されており、
上記提示条件情報は、上記複数のグループの各々について該グループに属する各コンポーネントを同時に２台以上の装置から提示することが許可されるか否かを示す情報である、ことを特徴とする請求項２に記載の提示制御装置。
【請求項４】
上記提示条件情報は、上記各コンポーネントについて、上記Ｎ台の装置での該コンポーネントの同時の提示が許可されるか、１台の装置でしか上記コンポーネントの提示が許可されないか、のいずれかが示されている情報であり、
上記決定手段は、上記Ｎ台の装置で同時の提示が許可されているコンポーネントについては、上記Ｎ台の装置での同時の提示を決定可能に構成されている、ことを特徴とする請求項２または３に記載の提示制御装置。
【請求項５】
記憶部を備え、
上記記憶部には、上記Ｎ台の装置の各々について該装置の仕様を示す仕様情報が記録されており、
上記メタデータには、上記各コンポーネントについて、該コンポーネントを提示する装置が満たすべき仕様上の要件を示す仕様要件情報が含まれており、
上記決定手段は、上記各コンポーネントについて、上記仕様情報に示されている仕様が該コンポーネントの仕様要件情報が示す要件を満たす装置を、該コンポーネントを提示する装置として決定するように構成されている、ことを特徴とする請求項２から４のいずれか１項に記載の提示制御装置。
【請求項６】
上記メタデータは、上記映像コンテンツとは別個のデータであることを特徴とする請求項１から５のいずれか１項に記載の提示制御装置。
【請求項７】
配信サーバから上記映像コンテンツを受信する受信手段であって上記配信サーバから上記メタデータを受信する受信手段を更に備えていることを特徴とする請求項１から６のいずれか１項に記載の提示制御装置。
【請求項８】
上記映像コンテンツには複数のコンポーネントが含まれており、
上記受信手段は、
放送波の受信により上記映像コンテンツに含まれている一部のコンポーネントを受信する第１受信手段と、
通信網を介して上記映像コンテンツに含まれている残りのコンポーネントを上記配信サーバから受信する第２受信手段と、を含み、
上記第１受信手段または上記第２受信手段が上記メタデータを受信するように構成されている、ことを特徴とする請求項７に記載の提示制御装置。
【請求項９】
映像コンテンツに関するメタデータに基づいて、該映像コンテンツをＮ（Ｎ≧２）台の装置に提示させることが可能な提示制御装置の提示制御方法において、
上記映像コンテンツに含まれている映像コンポーネントを提示する装置を上記Ｎ台の装置の中から決定する決定工程と、
上記決定工程での決定に従って１台以上の装置に上記映像コンポーネントを提示させる提示制御工程と、を含み、
上記メタデータには、上記映像コンポーネントを同時に２台以上の装置から提示することが許可されるか否かを示す提示条件情報が含まれており、
上記提示条件情報の参照により不許可と判別された場合に上記決定工程にて上記Ｎ台の装置の中から上記映像コンポーネントを提示する１台の装置を決定する、ことを特徴とする提示制御方法。
【請求項１０】
請求項１から８のいずれか１項に記載の提示制御装置を含んでいる提示システムであって、上記Ｎ台の装置を含んでいる提示システム。
【請求項１１】
請求項１から８のいずれか１項に記載の提示制御装置としてコンピュータを動作させる提示制御プログラムであって、コンピュータを上記各手段として機能させるための提示制御プログラム。
【請求項１２】
請求項１１に記載の提示制御プログラムが記録されているコンピュータ読み取り可能な記録媒体。
【請求項１３】
映像コンポーネントを含む映像コンテンツをＮ（Ｎ≧２）台の装置に提示させることが可能な提示制御装置に参照される、該映像コンテンツに関するメタデータであって、
上記映像コンポーネントを同時に２台以上の装置で提示することが許可されるか否かを示す提示条件情報が含まれていることを特徴とするメタデータ。
【発明の詳細な説明】
【技術分野】
【０００１】
本発明は、映像コンテンツを複数台の装置の各々で提示するよう制御可能な提示制御装置、提示制御方法および提示制御プログラムに関する。また、本発明は、そのような提示制御装置を含む提示システム、および、そのような提示制御プログラムが記録されている記録媒体に関する。さらに、本発明は、映像コンテンツに関するメタデータに関する。
【背景技術】
【０００２】
従来、映像コンテンツは放送網のみを通じて配信されていたが、ブロードバンドインターネット接続の普及により今日ではこれらがインターネットを通じて配信されるようになっている。【０００３】
また、特許文献１や特許文献２等に開示されているハイブリッド伝送技術により、放送網を介して映像コンテンツを構成する一部のコンポーネントを伝送し、通信網を介して残りのコンポーネントを伝送することも提案されている。
【先行技術文献】
【特許文献】
【０００４】
【特許文献１】日本国公開特許公報「特開２００５−２８６７４８号公報」（２００５年１０月１３日公開）
【特許文献２】日本国公開特許公報「特開平１０−１７３６１２号公報」（１９９８年６月２６日公開）
【発明の概要】
【発明が解決しようとする課題】
【０００５】
ところで、ユーザが配信先から伝送された映像コンテンツを複数台の装置に同時に表示させるケースがある。例えば、プレゼンテーターが映像コンテンツを用いて何らかのプレゼンテーションを行う場合には、動画配信サイトで配信中の映像コンテンツを手元にあるノート型ＰＣに受信させ、このノート型ＰＣに加えて、聴衆が視聴できるように設置された大型ディスプレイにその映像の全てもしくは一部を同時に表示させることが想定される。また、違う例としては、視聴者が映像コンテンツを視聴する場合には、動画配信サイトで配信中の映像コンテンツを手元にあるテレビジョン受像機（以下、単に「テレビ」と称する）に受信させ、このテレビに加えて、視聴者が視聴できるように設置された携帯端末にその映像の全てもしくは一部を同時に表示させることが想定される。【０００６】
前者の例において、このようなノート型ＰＣは、通常、上記のケースのようにノート型ＰＣと大型ディスプレイとで同時に表示させるか、ノート型ＰＣのみに表示させるか、あるいは、大型ディスプレイのみに表示させるかを設定可能に構成されている。【０００７】
一方で、コンテンツ提供者が自身の意向に沿って複数台の装置で映像コンテンツを同時に表示させるか否かを制御することを所望するケースが考えられる。【０００８】
しかしながら、上記の構成では、複数台の装置で映像コンテンツを同時に表示させるか否かの決定が、コンテンツ利用者（ノート型ＰＣのユーザ）に完全に委ねられている。すなわち、複数台の装置で映像コンテンツを同時に表示させるか否かの決定に、コンテンツ提供者の意向を反映させる余地がない。【０００９】
本発明は、上記課題に鑑みてなされたものであり、その主な目的は、コンテンツ提供者の意向に沿わない形で映像コンテンツが提示されないように各装置での映像コンテンツの提示態様を制御可能な提示制御装置を実現することにある。
【課題を解決するための手段】
【００１０】
本発明に係る提示制御装置は、上記課題を解決するために、映像コンテンツに関するメタデータに基づいて、該映像コンテンツをＮ（Ｎ≧２）台の装置に提示させることが可能な提示制御装置において、上記映像コンテンツに含まれている映像コンポーネントを提示する装置を上記Ｎ台の装置の中から決定する決定手段と、上記決定手段の決定に従って１台以上の装置に上記映像コンポーネントを提示させる提示制御手段と、を備え、上記メタデータには、上記映像コンポーネントを同時に２台以上の装置から提示することが許可されるか否かを示す提示条件情報が含まれており、上記決定手段は、上記提示条件情報の参照により不許可と判別された場合には、上記Ｎ台の装置の中から上記映像コンポーネントを提示する１台の装置を決定するように構成されている、ことを特徴としている。【００１１】
上記映像コンテンツに関するメタデータがコンテンツ提供者の意向に沿うように作成されておりさえすれば、本発明に係る提示制御装置は、上記の構成によって、コンテンツ提供者の意向に沿うような提示態様で１台以上の装置から映像コンテンツを提示する。
本発明に係る提示制御装置を含んでいる提示システムであって、上記Ｎ台の装置を含んでいる提示システムも本発明の範疇に含まれる。前述のように、上記提示制御装置は、上記Ｎ台のうちの１台であってもよいし、上記Ｎ台の装置とは別個の装置であってもよい。【００１２】
また、本発明に係る提示制御装置としてコンピュータを動作させるプログラムであって、コンピュータを上記提示制御装置の各手段として機能させることを特徴とするプログラム、および、そのようなプログラムを記録した、コンピュータが読み取り可能な記録媒体も本発明の範疇に含まれる。【００１３】
さらに、映像コンテンツに関するメタデータも本発明の範疇に含まれる。具体的には、映像コンポーネントを含む映像コンテンツをＮ（Ｎ≧２）台の装置に提示させることが可能な本発明に係る提示制御装置が参照するメタデータであって、上記映像コンポーネントを同時に２台以上の装置で提示することが許可されるか否かを示す提示条件情報が含まれていることを特徴とするメタデータが本発明の範疇に含まれる。
【発明の効果】
【００１４】
以上のように、本発明に係る提示制御装置は、コンテンツ提供者の意向に沿わない形で映像コンテンツが提示されないように各装置での映像コンテンツの提示態様を制御できる。
【図面の簡単な説明】
【００１５】
【図１】図１は、本発明の一実施形態に係る配信システムの構成および配信システムに含まれる各装置の要部構成を示した図である。
【図２】図２の（ａ）は図１のテレビの特定の動作を示すフローチャートであり、図２の（ｂ）は図１のタブレット端末の特定の動作を示すフローチャートである。
【図３】図３は、図１の送信装置が送信し、図１のテレビが受信するメタデータを模式的に例示した図である。
【図４】図４は、図１のテレビおよび図１のタブレット端末における映像コンテンツの提示態様を例示した図である。（ａ）は図１のテレビの表示部における各コンポーネントが表示される領域を概略的に例示しており、（ｂ）は図１のタブレット端末の表示部における各コンポーネントが表示される領域を概略的に例示している。
【図５】図５は、図１のテレビの特定の動作を示すフローチャート図である。
【図６】図６は、図１の送信装置が送信し、図１のテレビが受信するメタデータを模式的に例示した図である。
【図７】図７は、図１のテレビの特定の動作を示すフローチャート図である。
【図８】図８は、図１の送信装置が送信し、図１のテレビが受信するメタデータを模式的に例示した図である。
【図９】図９は、図１のテレビの記憶部に記録されているデバイス管理情報のデータ構造を模式的に例示した図である。
【図１０】図１０は、図１の送信装置が送信し、図１のテレビが受信するメタデータを模式的に例示した図である。
【図１１】図１１は、図１のテレビの特定の動作を示すフローチャート図である。
【図１２】図１２は、図１の送信装置が送信し、図１のテレビが受信するメタデータを模式的に例示した図である。
【図１３】図１３は、図１の送信装置が送信し、図１のテレビが受信するメタデータを模式的に例示した図である。
【図１４】図１４は、本発明の別の一実施形態に係る配信システムの構成および配信システムに含まれる各装置の要部構成を示した図である。
【図１５】図１５は、図１の送信装置が送信し、図１のテレビが受信するメタデータを模式的に例示した図である。
【図１６】図１６は、図１の送信装置が送信し、図１のテレビが受信するメタデータを模式的に例示した図である。
【図１７】図１７は、図１のテレビの特定の動作を示すフローチャート図である。
【発明を実施するための形態】
【００１６】
〔実施形態１〕
本実施形態に係る配信システムについて図１〜図１３を参照しながら説明する。
【００１７】
本発明の一実施形態に係る配信システムは、映像コンテンツを配信する送信装置と、映像コンテンツを提示する２台の表示装置（テレビ、タブレット端末）からなる表示システムとで構成される。映像コンテンツには複数のコンポーネントが含まれている。
【００１８】
テレビは、送信装置により映像コンテンツと共に配信されるメタ情報を参照し、各コンポーネントを自身で提示するか否か、および、タブレット端末に提示させるか否かを決定する。
【００１９】
また、タブレット端末はテレビに登録されている装置であり、テレビに接続している間、テレビから送られてくるコンポーネントを提示するように構成されている。
【００２０】
以下では、映像コンポーネント、音声コンポーネント、データコンポーネントおよびテキスト（字幕）コンポーネントからなる４つのコンポーネントが映像コンテンツに含まれているものとして配信システムの説明を行う。
【００２１】
最初に本実施形態に係る配信システムを構成する送信装置、テレビおよびタブレット端末の各装置の要部構成について図１を参照しながら以下に説明する。
【００２２】
図１は、各装置の要部構成を示したブロック図である。
【００２３】
図１に示すように、配信システム１は、送信装置１００、テレビ２００およびタブレット端末３００から構成されている。
【００２４】
（送信装置１００）
送信装置１００は、コンテンツ作成部１１０、送信部１２０およびメタデータ記憶部１３０を備えている。
【００２５】
コンテンツ作成部１１０は、送信装置１００の外部から入力される映像信号に対して符号化処理を施すことで映像コンテンツを作成する。
【００２６】
送信部１２０は、映像コンテンツ、および、その映像コンテンツのメタデータを放送波にのせて送信する。
【００２７】
メタデータ記憶部１３０には、送信部１２０により送出される映像コンテンツのメタデータが記憶されている。このメタデータは、配信者の意向を反映するように予め編集されたものとなっている。
【００２８】
（テレビ２００）
テレビ２００は、放送受信部２１０、コンポーネント分離部２２０、デバイス管理情報記憶部２３０、復号部２４０、表示処理部２５０、音声出力部２６０、同期制御部２７０、および、コンポーネント送信部２８０を備えている。
【００２９】
放送受信部２１０は、放送波を受信するチューナである。
【００３０】
コンポーネント分離部２２０は、放送波の受信により得られた映像コンテンツを映像コンポーネントと音声コンポーネントとデータコンポーネントとテキストコンポーネントに分離する。
【００３１】
そして、コンポーネント分離部２２０は、映像コンテンツのメタデータを参照し、各コンポーネントをテレビ２００で提示するか否か、および、タブレット端末３００で提示するか否かを決定する。コンポーネント分離部２２０は、タブレット端末３００に提示すると決定したコンポーネントをコンポーネント送信部２８０に供給する。また、コンポーネント分離部２２０は、テレビ２００で提示すると決定したコンポーネントを復号部２４０に供給する。
【００３２】
デバイス管理情報記憶部２３０には、テレビ２００の仕様情報とテレビ２００に登録されているタブレット端末３００の仕様情報とがデバイス管理情報として記録されている。タブレット端末３００の仕様情報は、タブレット端末３００のテレビ２００への登録時にタブレット端末３００から受信したものである。
【００３３】
また、デバイス管理情報記憶部２３０には、テレビ２００、タブレット端末３００の各装置について、デバイス管理情報として、メインデバイスであるか、あるいは、サブデバイスであるかを示す属性情報が記録される。この属性情報は、テレビ１の操作部（図示せず）を通じたユーザの指定により記録（または変更）される。例えば、テレビ２００の属性情報として「second device」が記録されている状態でユーザがテレビ２００をメインデバイスとして指定した場合には、テレビ２００の属性情報は「second device」から「main device」に変更される。なお、テレビ２００の出荷時にテレビ２００の属性情報は予めデバイス管理情報記憶部２３０に記録されていてもよい。また、タブレット端末３００の出荷時にタブレット端末３００の属性情報がタブレット端末３００の記憶部（図示せず）に予め記録されていてもよい。そして、タブレット端末３００がテレビ２００に登録される時に、タブレット端末３００の属性情報がデバイス管理情報記憶部２３０内にデバイス管理情報として記録されてもよい。
【００３４】
さらに、デバイス管理情報記憶部２３０には、テレビ２００、タブレット端末３００の各装置について、装置のアドレスが記録されている。
【００３５】
復号部２４０は、コンポーネント分離部２２０から供給されたコンポーネントを復号する。
【００３６】
表示処理部２５０は、映像を表示部２５５に表示するための各種処理を行う。表示部２５５は、表示処理部２５０に設けられているディスプレイである。
【００３７】
音声出力部２６０は、音声をスピーカ２６５から出力するための各種処理を行う。スピーカ２６５は、音声処理部２６０に含まれている。
【００３８】
同期制御部２７０は、テレビ２００のコンポーネントの提示とタブレット端末３００のコンポーネントの提示とを同期させるための同期信号をタブレット端末３００に送信する。
【００３９】
コンポーネント送信部２８０は、コンポーネント分離部２２０から供給されたコンポーネントをタブレット端末３００に送信する。
【００４０】
なお、同期制御部２７０およびコンポーネント送信部２８０は、ＷｉＦｉ通信やＢｌｕｅｔｏｏｔｈ（登録商標）、赤外線通信等の無線通信を行うように構成されていてもよいし、ＨＤＭＩケーブルを介して有線通信を行うように構成されていてもよい。
【００４１】
（タブレット端末３００）
タブレット端末３００は、コンポーネント受信部３１０、復号部３２０、表示処理部３３０、同期制御部３４０を備えている。
【００４２】
コンポーネント受信部３１０は、テレビ２００が送信したコンポーネントを受信し、復号部３２０に供給する。
【００４３】
復号部３２０は、コンポーネント受信部３１０から供給されたコンポーネントを復号する。
【００４４】
表示処理部３３０は、映像を表示部３３５に表示するための各種処理を行う。表示部３３５は、表示処理部３３０に設けられているディスプレイである。
【００４５】
同期制御部３４０は、テレビ２００が送信した同期信号＃１０ｓに基づいて、タブレット端末３００がコンポーネントを提示するタイミングを制御する。
【００４６】
なお、テレビ２００と同様に、コンポーネント受信部３１０および同期制御部３４０は、ＷｉＦｉ通信やＢｌｕｅｔｏｏｔｈ（登録商標）、赤外線通信等の無線通信を行うように構成されていてもよいし、ＨＤＭＩケーブルを介して有線通信を行うように構成されていてもよい。
【００４７】
以下では、テレビ２００およびタブレット端末３００が映像コンテンツの提示を開始する際の動作について図２〜図４を参照しながら説明する。図２（ａ）はテレビ２００の動作を示すフローチャートであり、図２（ｂ）はタブレット端末３００の動作を示すフローチャートである。また、図３はメタデータの具体例を模式的に示した図である。図３（ａ）はメタデータの一具体例であるテーブル形式のｃｓｖデータを模式的に示しており、図３（ｂ）は図３（ａ）のｃｓｖデータと同じ内容を示すＸＭＬデータを示したものである。図３において「compA」〜「compD」はそれぞれ映像、音声、テキストおよびデータの各コンポーネントの名称を示している。図４（ａ）はテレビ２００に表示される映像の一例を示しており、図４（ｂ）はタブレット端末３００に表示される映像の一例を示している。
【００４８】
図２（ａ）に示すように、最初に、テレビ２００の放送受信部２１０は、映像コンテンツのメタデータ＃１１を受信するとともに、映像コンテンツ＃１０の受信を開始する（Ｓ１）。
【００４９】
ここで、映像コンテンツのメタデータ＃１１には、映像コンテンツ＃１０に含まれる各コンポーネント＃１０ａ〜＃１０ｄについて、該コンポーネントを２台で同時に提示すべき旨を示す情報または該コンポーネントをテレビ２００だけで提示すべき旨を示す情報が含まれている。図３（ａ）および（ｂ）の例では、“simul_on”が前者の情報に該当し、“simul_off”が後者の情報に該当する。すなわち、図３（ａ）および（ｂ）のメタデータは、“simul_off”と対応付けられている映像および音声の各コンポーネント＃１０ａ、＃１０ｂをテレビ２００だけで提示すべきことを示している。同様に、図３（ａ）および（ｂ）のメタデータは、“simul_on”と対応付けられているテキストおよびデータの各コンポーネント＃１０ｃ、＃１０ｄをテレビ２００およびタブレット端末３００で提示すべきことを示している。
【００５０】
次に、テレビ２００のコンポーネント分離部２２０は、メタデータ＃１１の先頭からｉ番目（直前のステップがＳ１の場合にはi＝１）のコンポーネントの名称に“simul_on”と“simul_off”とのいずれが関連付けられているかを判定する（Ｓ２）。具体的には、メタデータがＸＭＬ形式のデータである場合、コンポーネント分離部２２０は、メタデータ＃１１の先頭からｉ番目の「component」タグの属性「device」の属性値が“simul_on”と“simul_off”とのいずれであるかを判定する。
【００５１】
テレビ２００は、「“simul_on”が関連付けられている」と判定した場合（Ｓ２において「Ｙｅｓ」）、タブレット端末３００に対するｉ番目のコンポーネントの送信を開始し（Ｓ３）、Ｓ４の処理に進む。具体的には、コンポーネント分離部２２０がｉ番目のコンポーネントをコンポーネント送信部２８０に供給し、コンポーネント送信部２８０がｉ番目のコンポーネントをタブレット端末３００に送信する。
【００５２】
一方、テレビ２００は、「“simul_off”が関連付けられている」と判定した場合（Ｓ２においてＮＯ）、Ｓ４の処理に進む。
【００５３】
Ｓ４において、テレビ２００のコンポーネント分離部２２０は、全コンポーネントについてＳ２の処理を行ったか否かを判定する。
【００５４】
テレビ２００は、「Ｓ２の処理を行っていないコンポーネントが存在する」と判定した場合（Ｓ４において「Ｙｅｓ」）、処理対象をｉ＋1番目のコンポーネントとするＳ２の処理に戻る。一方、テレビ２００は、「全コンポーネントについてＳ２の処理を行った」と判定した場合（Ｓ４において「Ｎｏ」）、Ｓ５の処理に進む。
【００５５】
Ｓ５において、テレビ２００は、各コンポーネントの提示を開始する。具体的には、コンポーネント分離部２２０は各コンポーネントを復号部２４０に供給する。そして、復号部２４０は、各コンポーネントを復号し、映像、テキストおよびデータの各コンポーネント＃１０ａ、＃１０ｃ、＃１０ｄを表示処理部２５０に供給する。また、復号部２４０は、音声コンポーネント＃１０ｂを音声処理部２６０に供給する。表示処理部２５０は、映像、テキストおよびデータの各コンポーネント＃１０ａ、＃１０ｃ、＃１０ｄを処理することで表示部２５５に映像を表示し、音声処理部２６０は、音声コンポーネント＃１０ｂを処理することでスピーカ２６５から音声を出力する。
【００５６】
Ｓ５の処理を以って、映像コンテンツの提示を開始する際の動作を完了する。
【００５７】
なお、復号部２４０は、表示処理部２５０および音声処理部２６０にコンポーネントを供給している間、同期信号として定期的にＰＣＲ（番組基準クロック）＃１０ｓを同期制御部２７０に供給する。同期制御部２７０は、ＰＣＲ＃１０ｓに合致するようにテレビ２００のシステム時刻を調整するとともに、ＰＣＲ＃１０ｓをタブレット端末３００に送信する。
【００５８】
以上の動作の説明から明らかなように、Ｓ１においてテレビ２００が図３のメタデータを受信した場合には、テレビ２００が映像、音声、テキストおよびデータの各コンポーネント＃１０ａ〜＃１０ｄを提示し、テキストおよびデータの各コンポーネント＃１０ｃ、＃１０ｄをタブレット端末３００に送信することになる。
【００５９】
次にタブレット端末３００が映像コンテンツの提示を開始する際の動作について説明する。
【００６０】
図２（ｂ）に示すように、タブレット端末３００のコンポーネント受信部３１０は、テレビ２００が送信したコンポーネントの受信を開始する（Ｓ１１）。
【００６１】
そして、タブレット端末３００は、各コンポーネントの提示を開始する（Ｓ１２）。具体的には、コンポーネント受信部３１０は、テレビ２００から送信されてきた各コンポーネントを復号部３２０に供給する。そして、復号部３２０は、コンポーネント受信部３１０から供給されてきた各コンポーネントの復号を開始し、復号済みの各コンポーネントを表示処理部３３０に供給する。表示処理部３３０は、各コンポーネントを処理することで表示部３３５への映像の表示を開始する。
【００６２】
したがって、Ｓ１においてテレビ２００が図３のメタデータを受信した場合には、タブレット端末３００は、テキストおよびデータの各コンポーネント＃１０ｃ、＃１０ｄを提示することになる。その結果、テレビ２００の表示部２５５とタブレット端末３００の表示部３３５とには、それぞれ、図４（ａ）および図４（ｂ）に示すような画面構成の映像が表示されることになる。
【００６３】
なお、同期制御部３４０は、タブレット端末３００がテレビ２００に接続している間、テレビ２００からのＰＣＲの送信を待ち受ける。そして、同期制御部２７０は、ＰＣＲ＃１０ｓを受信すると、ＰＣＲ＃１０ｓに合致するようにタブレット端末３００のシステム時刻＃１２を調整する。表示処理部３３０は、同期制御部３４０から供給されるシステム時刻＃１２の情報に基づいて、コンポーネントを構成する各ＥＳ（エレメンタリーストリーム）の提示タイミングを制御する。
【００６４】
テレビ２００およびタブレット端末３００は以上のような動作を行うが、テレビ２００は以下の各変形例に係る動作を行うように構成されていてもよい。
【００６５】
（変形例１）
以下では、テレビ２００の変形例１に係る動作について図５および図６を参照しながら説明する。図５はテレビ２００の動作を示すフローチャートである。また、図６はメタデータの具体例を模式的に示した図である。図６（ａ）はメタデータの一具体例であるテーブル形式のｃｓｖデータを模式的に示しており、図６（ｂ）は図６（ａ）のｃｓｖデータと同じ内容を示すＸＭＬデータを示したものである。図６において「compA」〜「compD」はそれぞれ映像、音声、テキストおよびデータの各コンポーネントの名称を示している。
【００６６】
図５に示すように、最初に、テレビ２００の放送受信部２１０は、映像コンテンツのメタデータを受信するとともに、映像コンテンツの受信を開始する（Ｓ２１）。
【００６７】
ここで、映像コンテンツのメタデータには、映像コンテンツに含まれる各コンポーネントについて、メインデバイスで該コンポーネントを提示すべき旨を示す文字列、または、サブデバイスで該コンポーネントを提示すべき旨を示す文字列が含まれている。図６（ａ）および（ｂ）の例では、“main_device”が前者の文字列に該当し、”second_device”が後者の文字列に該当する。
【００６８】
次に、テレビ２００のコンポーネント分離部２２０は、メタデータの先頭からｉ番目（直前のステップがＳ２１の場合にはi＝１）のコンポーネントの名称に“main _device”と”second_device”とのいずれが関連付けられているかを判定する（Ｓ２２）。
【００６９】
テレビ２００は、「“main_device”が関連付けられている」と判定した場合（Ｓ２２において「Ｙｅｓ」）、自装置およびタブレット端末３００がメインデバイスおよびサブデバイスのいずれのデバイスとして登録されているかを判定する（Ｓ２３）。具体的には、コンポーネント分離部２２０は、デバイス管理情報記憶部２３０にアクセスし、テレビ２００の属性情報として“main_device”および“second_device”のいずれの文字列が記録されているかを判定する。同様に、コンポーネント分離部２２０は、タブレット端末３００の属性情報として“main_device”および“second_device”のいずれの文字列が記録されているかを判定する。
【００７０】
テレビ２００は、「自装置がメインデバイスとして登録されている」と判定した場合（Ｓ２３において「Ｙｅｓ」）にはｉ番目のコンポーネントの提示を開始して（Ｓ２７）、Ｓ２８の処理に進む。一方、テレビ２００は、「自装置がサブデバイスとして登録されている」と判定した場合（Ｓ２３において「Ｎｏ」）には、メインデバイスであるタブレット端末３００に対するｉ番目のコンポーネントの送信を開始し（Ｓ２４）、Ｓ２８の処理に進む。
【００７１】
一方、テレビ２００は、「“second_device”が関連付けられている」と判定した場合（Ｓ２２において「Ｎｏ」）も、自装置およびタブレット端末３００がメインデバイスおよびサブデバイスのいずれのデバイスとして登録されているかを判定する（Ｓ２５）。
【００７２】
そして、テレビ２００は、「自装置がサブデバイスとして登録されている」と判定した場合（Ｓ２５において「Ｙｅｓ」）にはｉ番目のコンポーネントの提示を開始して（Ｓ２７）、Ｓ２８の処理に進む。一方、テレビ２００は、「自装置がメインデバイスとして登録されている」と判定した場合（Ｓ２５において「Ｎｏ」）には、サブデバイスであるタブレット端末３００に対するｉ番目のコンポーネントの送信を開始し（Ｓ２６）、Ｓ２８の処理に進む。
【００７３】
Ｓ２８において、テレビ２００のコンポーネント分離部２２０は、全コンポーネントについてＳ２２の処理を行ったか否かを判定する。
【００７４】
テレビ２００は、「Ｓ２２の処理を行っていないコンポーネントが存在する」と判定した場合（Ｓ２８において「Ｙｅｓ」）、処理対象をｉ＋１番目のコンポーネントとするＳ２２の処理に戻る。一方、テレビ２００は、「全コンポーネントについてＳ２２の処理を行った」と判定したことを以って（Ｓ２８において「Ｎｏ」）、映像コンテンツの提示を開始する際の動作を完了する。
【００７５】
（変形例２）
映像コンテンツを提示する表示装置は３台以上であってもよい。
【００７６】
映像コンテンツを提示する表示装置を１台のテレビ２００と２台のタブレット端末３００−１、３００−２との合計３台で構成する場合、テレビ２００を変形例２に係る動作を行うように構成してもよい。
【００７７】
テレビ２００の変形例２に係る動作について図７〜図９を参照して説明する。
【００７８】
図７はテレビ２００の動作を示すフローチャートである。また、図８はメタデータの具体例を模式的に示した図である。図８（ａ）はメタデータの一具体例であるテーブル形式のｃｓｖデータを模式的に示しており、図８（ｂ）は図８（ａ）のｃｓｖデータと同じ内容を示すＸＭＬデータを示したものである。図８において、「compA」〜「compC」はそれぞれ映像（高品質）、音声（高音質）、テキストの各コンポーネントの名称を示している。また、図８において、「compD」「compE」はそれぞれ映像（中品質）および音声（中音質）の各コンポーネントの名称を示しており、「compF」「compG」はそれぞれ映像（低品質）および音声（低音質）の各コンポーネントの名称を示している。図９は、デバイス管理情報のデータ構造を模式的に示した図である。
【００７９】
図７に示すように、最初に、テレビ２００の放送受信部２１０は、映像コンテンツのメタデータを受信するとともに、映像コンテンツの受信を開始する（Ｓ３１）。
【００８０】
ここで、メタデータには、映像コンテンツの各コンポーネントについて、メインデバイスで該コンポーネントを提示すべき旨を示す文字列、セカンドデバイスで該コンポーネントを提示すべき旨を示す文字列、または、サードデバイスで該コンポーネントを提示すべき旨を示す文字列が含まれている。図８（ａ）および（ｂ）の例では、３つの文字列は、それぞれ、“main_device”、“second_device”、“third_device”に該当する。
【００８１】
次に、テレビ２００のコンポーネント分離部２２０は、メタデータの先頭からｉ番目（直前のステップがＳ３１の場合にはi＝１）のコンポーネントの名称に“main_device”の文字列が関連付けられているか否かを判定する（Ｓ３２）。
【００８２】
テレビ２００は、「“main_device”が関連付けられている」と判定した場合（Ｓ３２において「Ｙｅｓ」）、自装置および２台のタブレット端末３００−１、３００−２がメインデバイス、セカンドデバイスおよびサードデバイスのいずれのデバイスとして登録されているかを判定する（Ｓ３３）。具体的には、コンポーネント分離部２２０は、デバイス管理情報記憶部２３０にアクセスし、テレビ２００の属性情報として“main_device”、“second_device”、“third_device”のいずれの文字列が記録されているかを判定する。同様に、コンポーネント分離部２２０は、タブレット端末３００−１、３００−２の属性情報として“main_device”、“second_device”、“third_device”のいずれの文字列が記録されているかを判定する。
【００８３】
テレビ２００は、「自装置がメインデバイスとして登録されている」と判定した場合（Ｓ３３において「Ｙｅｓ」）にはｉ番目のコンポーネントの提示を開始して（Ｓ４０）、Ｓ４１の処理に進む。一方、テレビ２００は、「自装置がセカンドデバイスまたはサードデバイスとして登録されている」と判定した場合（Ｓ３３において「Ｎｏ」）には、メインデバイスに対するｉ番目のコンポーネントの送信を開始し（Ｓ３４）、Ｓ４１の処理に進む。
【００８４】
一方、テレビ２００は、「“main_device”が関連付けられていない」と判定した場合（Ｓ３２において「Ｎｏ」）、ｉ番目のコンポーネントの名称に“second_device”および“third device”のいずれの文字列が関連付けられているか否かを判定する（Ｓ３５）。
【００８５】
テレビ２００は、「“second_device”が関連付けられている」と判定した場合（Ｓ３５において「Ｙｅｓ」）も、自装置および２台のタブレット端末３００−１、３００−２がメインデバイス、セカンドデバイスおよびサードデバイスのいずれのデバイスとして登録されているかを判定する（Ｓ３６）。そして、テレビ２００は、「自装置がセカンドデバイスとして登録されている」と判定した場合（Ｓ３６において「Ｙｅｓ」）にはｉ番目のコンポーネントの提示を開始して（Ｓ４０）、Ｓ４１の処理に進む。一方、テレビ２００は、「自装置がメインデバイスまたはサードデバイスとして登録されている」と判定した場合（Ｓ３６において「Ｎｏ」）には、セカンドデバイスに対するｉ番目のコンポーネントの送信を開始し（Ｓ３７）、Ｓ４１の処理に進む。
【００８６】
また、一方で、テレビ２００は、「“third_device”が関連付けられている」と判定した場合（Ｓ３５において「Ｎｏ」）も、自装置および２台のタブレット端末３００−１、３００−２がメインデバイス、セカンドデバイスおよびサードデバイスのいずれのデバイスとして登録されているかを判定する（Ｓ３８）。そして、テレビ２００は、「自装置がサードデバイスとして登録されている」と判定した場合（Ｓ３８において「Ｙｅｓ」）にはｉ番目のコンポーネントの提示を開始して（Ｓ４０）、Ｓ４１の処理に進む。一方、テレビ２００は、「自装置がメインデバイスまたはセカンドデバイスとして登録されている」と判定した場合（Ｓ３８において「Ｎｏ」）には、サードデバイスに対するｉ番目のコンポーネントの送信を開始し（Ｓ３９）、Ｓ４１の処理に進む。
【００８７】
Ｓ４１において、テレビ２００のコンポーネント分離部２２０は、全コンポーネントについてＳ３２の処理を行ったか否かを判定する。
【００８８】
テレビ２００は、「Ｓ３２の処理を行っていないコンポーネントが存在する」と判定した場合（Ｓ４１において「Ｙｅｓ」）、処理対象をｉ＋１番目のコンポーネントとするＳ３２の処理に戻る。一方、テレビ２００は、「全コンポーネントについてＳ３２の処理を行った」と判定したことを以って（Ｓ４１において「Ｎｏ」）、映像コンテンツの提示を開始する際の動作を完了する。
【００８９】
したがって、図９に示すデバイス管理情報がデバイス管理情報記憶部２３０に記録されている間に、Ｓ３１においてテレビ２００が図８のメタデータを受信した場合には、テレビ２００は、映像（高品質）、音声（高音質）およびテキストの各コンポーネントを提示することになる。同様に、タブレット端末３００−１は映像（中品質）および音声（中音質）の各コンポーネントを提示し、タブレット端末３００−２は映像（低品質）および音声（低音質）の各コンポーネントを提示することになる。
【００９０】
（変形例３）
映像コンテンツのメタデータには、映像コンテンツのコンポーネント毎に“simul_on”、”simul_off”等の提示条件情報が記録されていなくともよい。すなわち、図１０に示すように、メタデータには、提示条件が同一のコンポーネントで構成されるグループの情報が記録され、グループ毎に“simul_on”、”simul_off”等の提示条件情報が記録されていてもよい。
【００９１】
そして、このようなメタデータを受信した場合に変形例３に係る動作を行うようにテレビ２００を構成してもよい。テレビ２００の変形例３に係る動作について図１０、図１１を参照して説明する。なお、以下では、映像コンテンツを提示する表示装置がテレビ２００およびタブレット端末３００の２台であるものとして説明を行う。
【００９２】
図１０はそのようなメタデータの具体例を模式的に示した図である。図１０（ａ）はメタデータの一具体例であるテーブル形式のｃｓｖデータを模式的に示しており、図１０（ｂ）は図１０（ａ）のｃｓｖデータと同じ内容を示すＸＭＬデータを示したものである。図１０における「listA」は「compA-1」〜「compA-4」の各コンポーネントから構成されるグループの名称であり、「listB」は「compB-1」〜「compB-4」の各コンポーネントから構成されるグループの名称である。また、図１１はテレビ２００の変形例３に係る動作を示すフローチャートである。
【００９３】
図１１に示すように、最初に、テレビ２００の放送受信部２１０は、映像コンテンツのメタデータを受信するとともに、映像コンテンツの受信を開始する（Ｓ５１）。
【００９４】
次に、テレビ２００のコンポーネント分離部２２０は、メタデータの先頭からｉ番目のグループの名称に“simul_on”と“simul_off”とのいずれが関連付けられているかを判定する（Ｓ５２）。具体的には、メタデータがＸＭＬ形式のデータである場合、コンポーネント分離部２２０は、メタデータの先頭から１番目の「group」タグの属性「device」の属性値が“simul_on”と“simul_off”とのいずれであるかを判定する。
【００９５】
テレビ２００は、「“simul_on”が関連付けられている」と判定した場合（Ｓ５２において「Ｙｅｓ」）、１番目のグループに属する各コンポーネントを特定し、タブレット端末３００を送信先として各コンポーネントの送信を開始し（Ｓ５３）、Ｓ５４の処理に進む。
【００９６】
一方、テレビ２００は、「“simul_off”が関連付けられている」と判定した場合（Ｓ５２において「Ｎｏ」）、Ｓ５４の処理に進む。
【００９７】
Ｓ５４において、テレビ２００のコンポーネント分離部２２０は、全グループについてＳ５２の処理を行ったか否かを判定する。
【００９８】
テレビ２００は、「Ｓ５２の処理を行っていないグループが存在する」と判定した場合（Ｓ５４において「Ｙｅｓ」）、処理対象をｉ＋１番目のグループとするＳ５２の処理に戻る。一方、テレビ２００は、「全グループについてＳ５２の処理を行った」と判定した場合（Ｓ５４において「Ｎｏ」）、Ｓ５５の処理に進む。
【００９９】
Ｓ５５において、テレビ２００は、各コンポーネントの提示を開始する。
【０１００】
Ｓ５５の処理を以って、映像コンテンツの提示を開始する際の動作を完了する。
【０１０１】
したがって、テレビ２００が図１０のメタデータと映像コンテンツ「cont2」を受信した場合には、テレビ２００およびタブレット端末３００の双方が「compA-1」〜「compA-4」の各コンポーネントを提示する。そして、テレビ２００のみが、「compB-1」〜「compB-4」の各コンポーネントを提示する。
【０１０２】
（変形例３の付記事項）
なお、送信装置１００から送信されるメタデータには、複数のコンポーネントが多重化された多重化コンポーネントごとに提示条件情報が記録されていてもよい。この場合、テレビ２００は、多重化コンポーネントの提示条件情報が表す提示条件でその多重化コンポーネントを構成する各コンポーネントを提示する、という処理を各多重化コンポーネントについて行うように構成されていてもよい。
【０１０３】
図１２は、このようなメタデータの具体例を模式的に示した図である。図１２（ａ）は、映像コンテンツのメタデータの一具体例であるテーブル形式のｃｓｖデータを模式的に示しており、図１２（ｂ）は図１２（ａ）のｃｓｖデータと同じ内容を示すＸＭＬデータを示したものである。
【０１０４】
図１２からわかるように、多重化コンポーネント「muxlistA」は「compA-1」〜「compA-4」の各コンポーネントから構成されており、多重化コンポーネント「muxlistB」は「compB-1」〜「compB-4」の各コンポーネントから構成されている。
【０１０５】
前述のように構成されたテレビ２００が図１２のメタデータと上記２つの多重化コンポーネントとして送信された映像コンテンツ「cont2」とを送信装置１００から受信した場合、テレビ２００およびタブレット端末３００の双方が「compA-1」〜「compA-4」の各コンポーネントを提示する。そして、テレビ２００のみが、「compB-1」〜「compB-4」の各コンポーネントを提示する。
（実施形態１の付記事項）
メタデータには、各コンポーネントについて当該コンポーネントを提示する装置が満たすべき仕様上の要件を示す仕様要件情報が含まれていてもよい。すなわち、メタデータには、各コンポーネントの仕様要件情報が提示条件情報の一部として含まれていてもよい。
【０１０６】
図１３は、そのようなメタデータの一具体例を模式的に示した図である。図１３のメタデータは、コンポーネント「compA」の提示条件情報として、“simul_on”だけでなく、“３D”という文字列で表される仕様要件情報を含んでいる。この“３D”という文字列は、コンポーネント「compA」を提示する装置は３D表示に対応している必要がある、ことを示す文字列である。また、コンポーネント「compA」は、３Ｄフォーマットで作成された映像コンポーネントである。
【０１０７】
テレビ２００が図１３のメタデータを受信した場合、コンポーネント分離部２２０は、デバイス管理情報記憶部２３０のデバイス管理情報を参照することで、テレビ２００、タブレット端末３００−１、３００−２がそれぞれ３Ｄ表示に対応しているか否かを判定する。
【０１０８】
そして、コンポーネント分離部２２０は、「テレビ２００が３Ｄ表示に対応している」と判定した場合に限り、コンポーネント「compA」を復号部２４０に供給する。さらに、コンポーネント分離部２２０は、「テレビ２００以外の他のいずれかの装置（すなわち、タブレット端末３００−１またはタブレット端末３００−２）が３Ｄ表示に対応している」と判定した場合に限り、コンポーネント「compA」をコンポーネント送信部２８０に供給する。
【０１０９】
コンポーネント送信部２８０には、コンポーネント「compA」の供給に付随して、３Ｄ表示に対応している装置のアドレスがコンポーネント分離部２２０から通知される。このアドレスは、コンポーネント分離部２２０がデバイス管理情報を参照して読み取ったアドレスである。コンポーネント送信部２８０は、通知されたアドレス宛にコンポーネント「compA」を送信する。
【０１１０】
例えば、デバイス管理情報記憶部２３０に図９に示すようなデバイス管理情報が記録されている場合、コンポーネント分離部２２０は、「テレビ２００とタブレット端末３００−１が３Ｄ表示に対応しており、タブレット端末３００−２は３Ｄ表示に対応していない」と判定する。そして、コンポーネント分離部２２０は、コンポーネント「compA」を復号部２４０に供給する。さらに、コンポーネント分離部２２０は、コンポーネント「compA」をコンポーネント送信部２８０に供給するとともに、タブレット端末３００−１のアドレス“ＹＹＹ”をコンポーネント送信部２８０に通知する。コンポーネント送信部２８０は、通知されたタブレット端末３００−１のアドレス“ＹＹＹ”に基づいて、タブレット端末３００−１にコンポーネント「compA」を送信する。
【０１１１】
したがって、デバイス管理情報記憶部２３０に図９に示すようなデバイス管理情報が記録されている場合には、テレビ２００とタブレット端末３００−１とがコンポーネント「compA」を提示する。
【０１１２】
一方、３Ｄ表示に対応していないタブレット端末３００−２はコンポーネント「compA」をテレビ２００から受信しないことになる。このため、テレビ２００には、「３Ｄ表示に対応していない他の機器に３Ｄフォーマットの映像コンポーネントを送信するという無駄な処理を行わない」という利点があると言える。
【０１１３】
なお、その他の仕様要件情報として、例えば、以下の１）〜４）の情報を採用することができる。
【０１１４】
１）コンポーネントを提示する装置がサポートすべき解像度の情報。解像度の情報は、“４Ｋ”、“ＨＤ”、“ＶＧＡ”、“ＱＶＧＡ”のような文字列であってもよいし、“３８４０×２１６０”、“１９２０×１０８０”、“６４０×４８０”、“３２０×２４０”のような縦横の画素数であってもよい。
【０１１５】
２）コンポーネントを提示する装置がサポートすべきフレーム周波数の情報（例えば、１２０Ｈｚ，６０Ｈｚ，３０Ｈｚ，１５Ｈｚ）
３）コンポーネントを提示すべき装置の種別（例えば、“テレビ”、“タブレット端末”、“電子書籍リーダ”）
４）コンポーネントを提示する装置が内蔵すべき機器（例えば、“表示パネル”、“スピーカ”、“バイブレータ”、“照明”）
この場合、仕様要件情報として“スピーカ”が指定された音声コンポーネントを、スピーカを内蔵する装置（図９の例ではテレビ２００およびタブレット端末３００−１）のみで提示する。また、仕様要件情報として“表示パネル”が指定された映像コンポーネントを、表示パネルを内蔵する装置（図９の例ではテレビ２００およびタブレット端末３００−１、３００−２）で提示する。
【０１１６】
さらに、仕様要件情報として“バイブレータ”が指定された音声コンポーネントを、バイブレータを内蔵する装置（図９の例ではテレビ２００およびタブレット端末３００−２）のみで提示する。
【０１１７】
なお、対象コンポーネントの仕様要件情報として解像度の情報が指定された場合には、指定された解像度をサポートする装置のみで対象コンポーネントを提示してもよいし、対象コンポーネントを提示する装置の対象に、指定された解像度以上の解像度をサポートする装置を含めてもよい。
【０１１８】
（テレビ２００の利点）
以上のように、テレビ２００は、映像コンポーネントを含む映像コンテンツのメタデータに基づいて、その映像コンテンツを２台の装置（テレビ２００およびタブレット端末３００）に表示させることができる。
【０１１９】
テレビ２００のコンポーネント分離部２２０は、上記映像コンポーネントを提示する装置を上記２台の装置の中から決定し、その決定に従って、１台以上の装置（テレビ２００単独で、タブレット端末３００単独で、または、テレビ２００とタブレット端末３００との双方で）に上記映像コンポーネントを提示させる。
【０１２０】
上記メタデータには、上記映像コンポーネントを同時に２台以上の装置から提示することが許可されるか否かを判別可能な提示条件情報（表示条件情報）が含まれているが、コンポーネント分離部２２０は、上記提示条件情報の参照により不許可と判別された場合には、上記映像コンポーネントを提示する装置を所定の基準に従って１台の装置に決定するように構成されている。
【０１２１】
上記メタデータがコンテンツ提供者の意向に沿うように作成されておりさえすれば、上記の構成によって、テレビ２００は、コンテンツ提供者の意向に沿うような提示態様で１台以上の装置から映像コンテンツを提示することになる。
【０１２２】
例えば、コンテンツ提供者が「同時に２台以上の装置で映像を表示することを許可しない」という意向を持っており、その意向を反映した提示条件情報を含むメタデータ（例えば、映像コンポーネントの名称「compA」と“simul_off”という文字列とが対応付けて記録されているメタデータ）が作成されている場合、テレビ２００は、映像コンポーネントを１台の装置にしか提示させない。
【０１２３】
したがって、テレビ２００は、コンテンツ提供者の意向に沿わない形で映像コンテンツが提示されないようにテレビ２００およびタブレット端末３００での映像コンテンツの提示態様を制御できる。
〔実施形態２〕
次に、本発明の別の一実施形態に係る配信システムについて説明する。
【０１２４】
本実施形態に係る配信システムは、映像コンテンツを放送により配信する送信装置と映像コンテンツを通信により配信する送信装置と映像コンテンツを提示する２台の表示装置（テレビ、タブレット端末）とで構成されるシステムである。映像コンテンツには複数のコンポーネントが含まれている。
【０１２５】
テレビは、送信装置により映像コンテンツと共に配信されるメタ情報を参照し、各コンポーネントについて、コンポーネントをテレビ自身で提示するか否か、および、コンポーネントをタブレット端末に提示させるか否かを決定する。
【０１２６】
本実施形態に係る配信システムを構成する２台の送信装置、テレビおよびタブレット端末の各装置の要部構成について図１４を参照しながら以下に説明する。
【０１２７】
図１４は、各装置の要部構成を示したブロック図である。
【０１２８】
図１４に示すように、配信システム１は、送信装置１００、１００’、テレビ２００’およびタブレット端末３００’から構成されている。
【０１２９】
送信装置１００は映像コンテンツを放送により配信する送信装置であるが、実施形態１で説明済みであるので、ここでは説明を詳細な説明を省略する。
（テレビ２００’）
テレビ２００’は、放送受信部２１０、コンポーネント分離部２２０’、デバイス管理情報記憶部２３０、復号部２４０、表示処理部２５０、音声出力部２６０および同期制御部２７０を備えている。放送受信部２１０、デバイス管理情報記憶部２３０、復号部２４０、表示処理部２５０、音声出力部２６０および同期制御部２７０については実施形態１で説明済みであるので、ここでは説明を省略する。
【０１３０】
コンポーネント分離部２２０’は、放送波の受信により得られた映像コンテンツを映像コンポーネントと音声コンポーネントとデータコンポーネントと字幕コンポーネントに分離する。
【０１３１】
そして、コンポーネント分離部２２０’は、映像コンテンツのメタデータを参照し、各コンポーネントについて、コンポーネントをテレビ２００’で提示するか否か、および、コンポーネントをタブレット端末３００’で提示するか否かを決定する。コンポーネント分離部２２０’は、テレビ２００で提示すると決定したコンポーネントを復号部２４０に供給する。
【０１３２】
一方、コンポーネント分離部２２０’は、タブレット端末３００’に提示すると決定した場合に、タブレット端末３００’に提示するコンポーネントのリクエストを送信装置１００’に送信する。具体的には、コンポーネント分離部２２０’は、送信装置１００’によるコンポーネントの送信先となるアドレス（すなわち、タブレット端末３００’のアドレス）と、そのアドレスに送信すべきコンポーネントの名称と、が内包されたリクエストデータを送信装置１００’に送信する。例えば、コンポーネント分離部２２０’は、図３のメタデータを参照した場合、コンポーネントの名称「compＣ」が内包されたリクエストデータ＃１３ｃと、コンポーネントの名称「compＤ」が内包されたリクエストデータ＃１３ｄと、を送信装置１００’に送信する。なお、コンポーネント分離部２２０’は、デバイス管理情報を参照することにより、リクエストデータに含めるべきタブレット端末３００’のアドレスを特定する。
（送信装置１００’）
送信装置１００’は、映像コンテンツを通信により配信する送信装置である。送信装置１００’は、コンテンツ作成部１１０’および送信部１２０’を備えている。
【０１３３】
コンテンツ作成部１１０’は、送信装置１００’の外部から入力される映像信号に対して符号化処理を施すことで映像コンテンツのデータを作成する。
【０１３４】
送信部１２０’は、コンポーネントのリクエストを受け付けると、通信網を介して、リクエストにおいて指定されたアドレスが割り当てられている装置に向けて、そのコンポーネントを送信する。例えば、送信部１２０’は、タブレット端末３００’のアドレスとコンポーネントの名称「compＣ」とが内包されたリクエストデータ＃１３ｃを受信すると、テキストコンポーネント＃１０ｃをタブレット端末３００’に向けて送信する。同様に、送信部１２０’は、タブレット端末３００’のアドレスとコンポーネントの名称「compＤ」とが内包されたリクエストデータ＃１３ｄを受信すると、データコンポーネント＃１０ｄをタブレット端末３００’に向けて送信する。
【０１３５】
（タブレット端末３００’）
タブレット端末３００’は、コンポーネント受信部３１０’、復号部３２０、表示処理部３３０および同期制御部３４０を備えている。復号部３２０、表示処理部３３０および同期制御部３４０は、実施形態１で説明済みであるので、コンポーネント受信部３１０’について説明する。
【０１３６】
コンポーネント受信部３１０’は、送信装置１００’からのコンポーネントの受信を待ち受ける。コンポーネント受信部３１０’は、コンポーネントを受信すると、受信したコンポーネントを復号部３２０に供給する。
【０１３７】
なお、コンポーネント受信部３１０’と送信部１２０’との間のコンポーネントの通信は、例えば、ＦＴＰプロトコルにより実行されてもよい。
【０１３８】
具体的には、送信装置１００’にはＦＴＰクライアントアプリケーションをインストールされ、タブレット端末３００’にはＦＴＰサーバアプリケーションがインストールされていてもよい。この場合、コンポーネント受信部３１０’は、ＦＴＰサービスを有効にすることによりコンポーネントの受信を待ち受ける。そして、送信部１２０’は、ＦＴＰサーバにログインしてＰＵＴコマンドでコンポーネントをアップロードすることにより、コンポーネントをタブレット端末３００’に送信する。
【０１３９】
以上のように配信システムを構成した場合にも、テレビ２００’は、コンテンツ提供者の意向に沿わない形で映像コンテンツが提示されないようにテレビ２００’およびタブレット端末３００’での映像コンテンツの提示態様を制御できる。
（付記事項１）
表示システムがテレビ２００を含むＮ（Ｎ≧３）台の装置から構成されている場合、テレビ２００は、図１５に例示したメタデータに基づいて、コンポーネントを提示する１台以上の装置をＮ台の装置の中から選択してもよい。図１５は、メタデータの具体例を示した図である。
【０１４０】
図１５に示すように、メタデータには、映像コンテンツのコンポーネント毎に“one_device”、”two_devices”、”multi_devices“の３種類の提示条件情報が記録されている。“one_device”はコンポーネントを提示可能な装置が１台であることを示している。同様に、”two_devices”はコンポーネントを提示可能な装置が２台であることを示している。一方、”multi_devices“はコンポーネントを提示可能な装置の台数に制限がないことを示している。
【０１４１】
テレビ２００がこのようなメタデータを受信した場合、テレビ２００のコンポーネント分離部２２０は、各コンポーネントについて、コンポーネントを提示する装置を所定の基準に従ってＮ台の装置の中から選択してもよい。例えば、テレビ２００が図１５のメタデータを受信した場合、コンポーネント分離部２２０は、コンポーネント「compA」を提示する装置を１台選択し、コンポーネント「compB」を提示する装置を２台選択し、Ｎ台の装置でコンポーネント「compM」を提示してもよい。なお、コンポーネント分離部２２０は、コンポーネントを提示する装置を１台選択する場合には、属性情報「first device」が割り振られている装置を選択してもよい。また、コンポーネント分離部２２０は、コンポーネントを提示する装置を２台選択する場合には、属性情報「first device」が割り振られている装置と属性情報「second devices」が割り振られている装置とを選択してもよい。
（付記事項２）
タブレット端末３００に放送受信部２１０を設け、タブレット端末３００の放送受信部２１０が、送信装置１００から映像コンテンツと映像コンテンツのメタデータとを受信してもよい。また、タブレット端末３００にコンポーネント分離部２２０を設け、タブレット端末３００のコンポーネント分離部２２０が、受信されたメタデータに基づいて、各コンポーネントについて、コンポーネントをテレビ２００で提示すべきか否か、および、コンポーネントをタブレット端末３００で提示すべきか否かを決定してもよい。
【０１４２】
さらに、タブレット端末３００およびテレビ２００にそれぞれコンポーネント送信部２８０およびコンポーネント受信部３１０を設け、タブレット端末３００のコンポーネント送信部２８０が、テレビ２００で提示すべきコンポーネントをテレビ２００に送信してもよい。テレビ２００のコンポーネント受信部３１０は、タブレット端末３００から受信したコンポーネントを復号部２４０に供給してもよい。
【０１４３】
このようにすれば、コンテンツ提供者の意向に沿わない形で映像コンテンツが提示されないようにテレビ２００およびタブレット端末３００での映像コンテンツの提示態様を制御可能なタブレット端末３００を実現できる。
（付記事項３）
コンポーネント分離部２２０が図３に示したＸＭＬデータやｃｓｖデータだけでなく他の形式のメタデータを解析できるように、テレビ２００を構成してもよい。すなわち、テレビ２００は、図３に示したｃｓｖデータと同じ内容の他のテーブル形式のデータ（例えばｘｌｓデータ）を解析可能に構成されていてもよいし、図３に示したＸＭＬデータと同じ内容の他のツリー形式のデータを解析可能に構成されていてもよい。
（付記事項４）
映像コンテンツと映像コンテンツのメタデータとは送信装置１００から配信されるものでなくてもよい。すなわち、映像コンテンツと映像コンテンツのメタデータとが記録メディアに記録されていてもよい。そして、テレビ２００が記録メディアから映像コンテンツと映像コンテンツのメタデータとを読み出して映像コンテンツを再生する場合に、コンポーネント分離部２２０、復号部２４０〜コンポーネント送信部２８０が実施形態１で説明した動作を行ってもよい。
【０１４４】
また、映像コンテンツのメタデータには、映像コンテンツに含まれる一部のコンポーネントについて提示条件情報が含まれてなくともよい。例えば、映像コンテンツのメタデータに含まれる提示条件情報は、映像コンポーネントの提示条件情報のみであってもよい。換言すれば、映像コンテンツのメタデータには、音声コンポーネントの提示条件情報が含まれていなくてもよい。
【０１４５】
（付記事項５）
映像コンテンツの伝送方式としてＭＭＴ（MPEG media transport）を採用してもよい。この場合、ＭＭＴにおけるパッケージ（Package）が映像コンテンツに相当し、ＭＭＴにおけるアセット（Asset）がコンポーネントに相当する。
（付記事項６）
映像コンテンツのメタデータには、映像コンテンツのコンポーネント毎に“simul_on”、”simul_off”等の提示条件情報が記録されていなくともよい。すなわち、図１６に示すように、メタデータには、表示部における各コンポーネントの表示される領域の情報が記録され、領域毎に“simul_on”、“simul_off”等の提示条件情報が記録されていてもよい。
また、映像コンテンツのメタデータには、表示部における各コンポーネントの表示される領域の表示位置を示す情報が記録され、領域毎に表示サイズ、表示される範囲等が記述されていてもよい。例えば、図１６に示すように、表示される範囲は基準座標（例えば、左上の頂点の座標（“x”，”y”））と幅（“width”）、高さ（“height”）を用いて表す。なお、コンポーネントの表示サイズ、表示される範囲の形状（矩形、円形等）等が記述されていてもよい。また、該領域の表示位置や表示サイズがデバイスの表示可能領域と異なる場合は、デバイス側で該領域の表示位置や表示サイズを補正した上で表示しても構わない。
そして、このようなメタデータを受信した場合に付記事項６に係る動作を行うようにテレビ２００を構成してもよい。テレビ２００の付記事項６に係る動作について図１６、図１７を参照して説明する。なお、以下では、映像コンテンツを提示する表示装置がテレビ２００およびタブレット端末３００の２台であるものとして説明を行う。
【０１４６】
図１６はそのようなメタデータの具体例を模式的に示した図である。図１６（ａ）はメタデータの一具体例であるテーブル形式のｃｓｖデータを模式的に示しており、図１６（ｂ）は図１６（ａ）のｃｓｖデータと同じ内容を示すＸＭＬデータを示したものである。図１６において「areaA」〜「areaC」はそれぞれ映像、音声、テキストおよびデータの各コンポーネントを提示させる領域の名称を示している。また、図１７はテレビ２００の実施形態１の付記事項２に係る動作を示すフローチャートである。
【０１４７】
図１７に示すように、最初に、テレビ２００の放送受信部２１０は、映像コンテンツのメタデータを受信するとともに、映像コンテンツの受信を開始する（Ｓ６１）。
【０１４８】
次に、テレビ２００のコンポーネント分離部２２０は、メタデータの先頭からｉ番目の領域の名称に“simul_on”と“simul_off”とのいずれが関連付けられているかを判定する（Ｓ６２）。具体的には、メタデータがＸＭＬ形式のデータである場合、コンポーネント分離部２２０は、メタデータの先頭から１番目の「area」タグの属性「device」の属性値が“simul_on”と“simul_off”とのいずれであるかを判定する。
【０１４９】
テレビ２００は、「“simul_on”が関連付けられている」と判定した場合（Ｓ６２において「Ｙｅｓ」）、１番目の領域に属する各コンポーネントを特定し、タブレット端末３００を送信先として各コンポーネントの送信を開始し（Ｓ６３）、Ｓ６４の処理に進む。
【０１５０】
一方、テレビ２００は、「“simul_off”が関連付けられている」と判定した場合（Ｓ６２において「Ｎｏ」）、Ｓ６４の処理に進む。
【０１５１】
Ｓ６４において、テレビ２００のコンポーネント分離部２２０は、全領域についてＳ６２の処理を行ったか否かを判定する。
【０１５２】
テレビ２００は、「Ｓ６２の処理を行っていない領域が存在する」と判定した場合（Ｓ６４において「Ｙｅｓ」）、処理対象をｉ＋１番目の領域とするＳ６２の処理に戻る。一方、テレビ２００は、「全領域についてＳ６２の処理を行った」と判定した場合（Ｓ６４において「Ｎｏ」）、Ｓ６５の処理に進む。
【０１５３】
Ｓ６５において、テレビ２００は、各コンポーネントの提示を開始する。
【０１５４】
Ｓ６５の処理を以って、映像コンテンツの提示を開始する際の動作を完了する。
【０１５５】
したがって、テレビ２００が図１６のメタデータと映像コンテンツ「cont1」を受信した場合には、テレビ２００のみが、「areaA」の各コンポーネントを提示する。そして、テレビ２００およびタブレット端末３００の双方が「areaB」と「areaC」の各コンポーネントを提示する。
なお、上述とは異なる領域毎の提示条件情報として、例えば、表示装置毎の領域提示許可を示す情報を採用してもよい。この場合、映像コンテンツを提示する表示装置は３台以上であってもよく、例えば、メインデバイスで該領域のコンポーネントを提示（例えば、“main_device”）、セカンドデバイスで該領域のコンポーネントを提示（例えば、“second_device”）、または、サードデバイスで該領域のコンポーネントを提示（例えば、“third _device”）する。
映像コンテンツ等では画面中を複数の領域に分割し、領域毎に複数のコンポーネントを提示させることが多いため、以上のようにコンテンツの提示領域毎にマルチデバイスへの同時提示を許可するか否かを示す属性情報を付加することで、コンポーネント毎にマルチデバイスへの提示を指定するよりも、少ないデータ量でデバイス指定が可能となる。
（付記事項７）
また、上述とは異なる提示条件情報として、上述した複数の提示条件情報を組み合わせてもよい。この場合、例えば、“simul_off”と“second_device”の論理積（ＡＮＤ）を用いることで、コンテンツをメインデバイスへは提示させず、サブデバイスのみへの提示許可を示すことができ、これをひとつの属性（例えば、“sub_only_on”）として定義してもよい。
さらに、以下のａ）〜ｃ）の情報を定義することもできる。
【０１５６】
ａ）サブデバイスに提示されているコンテンツの、メインデバイスへの提示許可を示す情報（例えば、“insert_on”により定義）。
【０１５７】
ｂ）メインデバイスのコンテンツかサブデバイスのコンテンツのいずれかへの提示許可を示す情報（例えば、“alt_on”により定義。
【０１５８】
ｃ）ユーザがメインデバイスとサブデバイスへのコンテンツの提示を選択可能とすることを示す情報（例えば、“user_on” により定義）。例えば、メインデバイス/サブデバイスの同時提示、メインデバイスは提示させずサブデバイスのみに提示、サブデバイスは提示させずメインデバイスのみに提示、のいずれかをユーザが選択可能とすることを示す情報。
【０１５９】
（プログラム、記憶媒体）
テレビ２００の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６０】
後者の場合、テレビ２００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ２００の制御プログラムのプログラムコード（実行形式プログラム、中間コードプログラム、ソースプログラム）をコンピュータで読み取り可能に記録した記録媒体を、テレビ２００に供給し、そのコンピュータ（またはＣＰＵやＭＰＵ）が記録媒体に記録されているプログラムコードを読み出し実行することによっても、達成可能である。
【０１６１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６２】
また、上記プログラムコードは、通信ネットワークを介してテレビ２００に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１６３】
なお、ここで開示された実施の形態はすべての点で例示であって制限的なものではないと考えられるべきである。本発明の範囲は、上記した説明だけではなく、特許請求の範囲によって示され、特許請求の範囲と均等の意味および範囲内でのすべての変更が含まれることが意図される。
【０１６４】
以上のように、本発明に係る提示制御装置は、上記課題を解決するために、映像コンテンツに関するメタデータに基づいて、該映像コンテンツをＮ（Ｎ≧２）台の装置に提示させることが可能な提示制御装置において、上記映像コンテンツに含まれている映像コンポーネントを提示する装置を上記Ｎ台の装置の中から決定する決定手段と、上記決定手段の決定に従って１台以上の装置に上記映像コンポーネントを提示させる提示制御手段と、を備え、上記メタデータには、上記映像コンポーネントを同時に２台以上の装置から提示することが許可されるか否かを示す提示条件情報が含まれており、上記決定手段は、上記提示条件情報の参照により不許可と判別された場合には、上記Ｎ台の装置の中から上記映像コンポーネントを提示する１台の装置を決定するように構成されている、ことを特徴としている。
【０１６５】
ここで、本発明に係る提示制御装置は、上記Ｎ台のうちの１台であってもよいし、上記Ｎ台の装置とは別個の装置であってもよい。前者の場合、決定される１台の装置は、例えば、本発明に係る提示制御装置自体であってもよい。また、上記メタデータは、上記映像コンテンツとは別個のデータであってもよいし、上記映像コンテンツに内包されるデータであってもよい。また、提示条件情報は、映像コンポーネントを同時に２台以上の装置から提示することが許可されるか否かを明示的に示すものであってもよいし、非明示的に示すものであってもよい。
【０１６６】
上記映像コンテンツに関するメタデータがコンテンツ提供者の意向に沿うように作成されておりさえすれば、本発明に係る提示制御装置は、上記の構成によって、コンテンツ提供者の意向に沿うような提示態様で１台以上の装置から映像コンテンツを提示する。
【０１６７】
例えば、コンテンツ提供者が「同時に２台以上の装置で映像を表示することを許可しない」という意向を持っており、その意向を反映した提示条件情報を含むメタデータが作成されている場合、本発明に係る提示制御装置は、映像コンポーネントを１台の装置にしか提示させない。
【０１６８】
したがって、本発明に係る提示制御装置は、コンテンツ提供者の意向に沿わない形で映像コンテンツが提示されないように各装置での映像コンテンツの提示態様を制御できる。
【０１６９】
本発明に係る提示制御方法は、上記課題を解決するために、映像コンテンツに関するメタデータに基づいて、該映像コンテンツをＮ（Ｎ≧２）台の装置に提示させることが可能な提示制御装置の提示制御方法において、上記映像コンテンツに含まれている映像コンポーネントを提示する装置を上記Ｎ台の装置の中から決定する決定工程と、上記決定工程での決定に従って１台以上の装置に上記映像コンポーネントを提示させる提示制御工程と、を含み、上記メタデータには、上記映像コンポーネントを同時に２台以上の装置から提示することが許可されるか否かを示す提示条件情報が含まれており、上記提示条件情報の参照により不許可と判別された場合に上記決定工程にて上記Ｎ台の装置の中から上記映像コンポーネントを提示する１台の装置を決定する、ことを特徴としている。
【０１７０】
上記の構成によれば、本発明に係る提示制御方法は、本発明に係る提示制御装置と同様の作用効果を奏する。
【０１７１】
本発明に係る提示制御装置は、上記映像コンテンツには複数のコンポーネントが含まれており、上記決定手段が、上記映像コンテンツに含まれている各コンポーネントについて、該コンポーネントを提示する装置を上記Ｎ台の装置の中から決定するように構成されており、上記提示条件情報は、コンポーネントを同時に２台以上の装置から提示することが許可されるか否かが上記各コンポーネントについて示されている情報であり、上記決定手段が、上記提示条件情報の参照により不許可と判別されるコンポーネントについては、上記Ｎ台の装置の中から該コンポーネントを提示する１台の装置を決定するように構成されている、ことが望ましい。
【０１７２】
上記の構成によれば、本発明に係る提示制御装置は、映像コンテンツの各コンポーネントがコンテンツ提供者の意向に沿わない形で提示されないように各コンポーネントの各装置での提示態様を制御できるというさらなる効果を奏する。
【０１７３】
なお、上記メタデータには、上記各コンポーネントがいずれかのグループに属するような複数のグループを示す情報が記録されており、上記提示条件情報は、上記複数のグループの各々について該グループに属する各コンポーネントを同時に２台以上の装置から提示することが許可されるか否かを示す情報である、ことが望ましい。
【０１７４】
また、本発明に係る提示制御装置は、上記提示条件情報が、上記各コンポーネントについて、上記Ｎ台の装置での該コンポーネントの同時の提示が許可されるか、１台の装置でしか上記コンポーネントの提示が許可されないか、のいずれかが示されている情報であり、上記決定手段が、上記Ｎ台の装置で同時の提示が許可されているコンポーネントについては、上記Ｎ台の装置での同時の提示を決定可能に構成されている、ことが望ましい。
【０１７５】
本発明に係る提示制御装置は、記憶部を備え、上記記憶部には、上記Ｎ台の装置の各々について該装置の仕様を示す仕様情報が記録されており、上記メタデータには、上記各コンポーネントについて、該コンポーネントを提示する装置が満たすべき仕様上の要件を示す仕様要件情報が含まれており、上記決定手段は、上記各コンポーネントについて、上記仕様情報に示されている仕様が該コンポーネントの仕様要件情報が示す要件を満たす装置を、該コンポーネントを提示する装置として決定するように構成されている、ことが望ましい。
【０１７６】
上記映像コンテンツに関するメタデータがコンテンツ提供者の意向に沿うように作成されておりさえすれば、本発明に係る提示制御装置は、上記の構成により、コンポーネントを提示する上でコンテンツ提供者が必要と考える仕様上の要件を満たした装置にしかそのコンポーネントを提示させない。したがって、本発明に係る提示制御装置は、よりコンテンツ提供者の意向に沿うように、各装置での映像コンテンツの提示態様を制御できる。
【０１７７】
本発明に係る提示制御装置では、上記メタデータが、上記映像コンテンツとは別個のデータであることが望ましい。
【０１７８】
上記の構成によれば、本発明に係る提示制御装置は、上記映像コンテンツ自体を解析しなくとも、コンテンツ提供者の意向に沿わない形で映像コンテンツが提示されないように各装置での映像コンテンツの提示態様を制御できるというさらなる効果を奏する。
【０１７９】
本発明に係る提示制御装置は、配信サーバから上記映像コンテンツを受信する受信手段であって上記配信サーバから上記メタデータを受信する受信手段を更に備えていることが望ましい。
【０１８０】
上記の構成によれば、本発明に係る提示制御装置は、配信サーバが配信する映像コンテンツが配信者の意向に沿わない形で提示されないように、各装置での映像コンテンツの提示態様を制御できるというさらなる効果を奏する。
【０１８１】
本発明に係る提示制御装置は、上記映像コンテンツには複数のコンポーネントが含まれており、上記受信手段が、放送波の受信により上記映像コンテンツに含まれている一部のコンポーネントを受信する第１受信手段と、通信網を介して上記映像コンテンツに含まれている残りのコンポーネントを上記配信サーバから受信する第２受信手段と、を含み、上記第１受信手段または上記第２受信手段が上記メタデータを受信するように構成されている、ことが望ましい。
【０１８２】
上記の構成によれば、本発明に係る提示制御装置は、ハイブリッド伝送により配信する映像コンテンツが配信者の意向に沿わない形で提示されないように、各装置での映像コンテンツの提示態様を制御できるというさらなる効果を奏する。
【０１８３】
本発明に係る提示制御装置を含んでいる提示システムであって、上記Ｎ台の装置を含んでいる提示システムも本発明の範疇に含まれる。前述のように、上記提示制御装置は、上記Ｎ台のうちの１台であってもよいし、上記Ｎ台の装置とは別個の装置であってもよい。
【０１８４】
また、本発明に係る提示制御装置としてコンピュータを動作させるプログラムであって、コンピュータを上記提示制御装置の各手段として機能させることを特徴とするプログラム、および、そのようなプログラムを記録した、コンピュータが読み取り可能な記録媒体も本発明の範疇に含まれる。
【０１８５】
さらに、映像コンテンツに関するメタデータも本発明の範疇に含まれる。具体的には、映像コンポーネントを含む映像コンテンツをＮ（Ｎ≧２）台の装置に提示させることが可能な本発明に係る提示制御装置が参照するメタデータであって、上記映像コンポーネントを同時に２台以上の装置で提示することが許可されるか否かを示す提示条件情報が含まれていることを特徴とするメタデータが本発明の範疇に含まれる。
【産業上の利用可能性】
【０１８６】
本発明は、テレビ、タブレット端末、スマートフォンなどに適用することができる。
【符号の説明】
【０１８７】
１００                送信装置
１００’              送信装置（配信サーバ）
１１０、１１０’        コンテンツ作成部
１２０、１２０’        送信部
１３０                  メタデータ記憶部
２００                テレビ（提示制御装置、装置）
２１０                  放送受信部（受信手段、第１受信手段）
２２０                  コンポーネント分離部（決定手段、提示制御手段）
２３０                  デバイス管理情報記憶部（記憶部）
２４０                  復号部
２５０                  表示処理部
２５５                  表示部
２６０                  音声出力部
２６５                  スピーカ
２７０                  同期制御部
２８０                  コンポーネント送信部
３００                タブレット端末（装置）
３１０                  コンポーネント受信部
３１０’                コンポーネント受信部（受信手段、第２受信手段）
３２０                  復号部
３３０                  表示処理部
３３５                  表示部
３４０                  同期制御部
【図１】
2013114749.tif 000003
【図２】
2013114749.tif 000004
【図３】
2013114749.tif 000005
【図４】
2013114749.tif 000006
【図５】
2013114749.tif 000007
【図６】
2013114749.tif 000008
【図７】
2013114749.tif 000009
【図８】
2013114749.tif 000010
【図９】
2013114749.tif 000011
【図１０】
2013114749.tif 000012
【図１１】
2013114749.tif 000013
【図１２】
2013114749.tif 000014
【図１３】
2013114749.tif 000015
【図１４】
2013114749.tif 000016
【図１５】
2013114749.tif 000017
【図１６】
2013114749.tif 000018
【図１７】
2013114749.tif 000019
【国際調査報告】
2013114749.tif 000020
2013114749.tif 000021
2013114749.tif 000022
2013114749.tif 000023